(57)【特許請求の範囲】
【請求項１】
移動体に取り付けたデータキャリアとの間で相互に書込及び読出のデータ通信を行い、その動作状態を表示する表示部をハウジングに設けたリードライトヘッドにおいて、
前記表示部は、前記ハウジングの互いに直交する３面のコーナー部に露出して配設した透明な表示カバー内に表示素子を収納してなることを特徴とするリードライトヘッド。
【請求項２】
前記表示カバーを前記ハウジングに接合して配設した接合面が、直交する前記３面に対し傾斜してなることを特徴とする請求項１記載のリードライトヘッド。
【請求項３】
前記表示素子の複数個が、直交する前記３面の１面側に面する方向から見て他の２面に対して傾斜して配列されてなることを特徴とする請求項１記載のリードライトヘッド。
【請求項４】
移動体に取り付けたデータキャリアとの間で相互に書込及び読出のデータ通信を行うリードライトヘッドのハウジングに、その動作状態を表示する表示部を配設するリードライトヘッドの製造方法において、
透明な表示カバーを前記ハウジングのコーナー部に互いに直交する３面に対し傾斜して接合し、コーナー部が下方になるよう前記ハウジングを斜めの姿勢に保持し、表示素子を収納した状態で表示カバー内に透明樹脂を流し込んで後硬化することによって前記表示部を配設することを特徴とするリードライトヘッドの製造方法。
【発明の詳細な説明】
【０００１】
【産業上の利用分野】
本発明は、建物の入退出管理等に使用されるＩＤカード等のデータキャリアとの間で相互に書込及び読出のデータ通信を行うリードライトヘッド及びその製造方法に関する。
【０００２】
【従来の技術】
従来、この種のリードライトヘッドとして図１２に示すものが存在する。このものは、箱型のハウジングＡ  内に、ＩＤカード（データキャリア）との間で電磁誘導により相互に書込及び読出のデータ通信を行うアンテナを内蔵するとともに、その動作状態を表示する表示部Ｂ  がハウジングＡ  に設けられている。
【０００３】
この表示部Ｂ  は、ハウジングＡ  の取付面と反対側の前面Ａ１のコーナー部に透明な表示カバーで覆って設けた凹部Ａ２に、動作時に発光する発光ダイオード（表示素子）Ｂ１を収納して形成されている。
【０００４】
【発明が解決しようとする課題】
上記した従来のリードライトヘッドにあっては、表示部Ｂ  は、ハウジングＡ  の取付面と反対側の前面Ａ１にのみ設けた凹部Ａ２に、発光ダイオードＢ１を収納し、その凹部Ａ２を透明な表示カバーで覆って形成されている。
【０００５】
このように、凹部Ａ２を前面Ａ１にのみ設けてある理由は、通常、リードライトヘッドは、耐環境性、耐振動衝撃性、耐熱性を考慮して、内部に樹脂を充填する場合が多く、その場合、表示カバーは充填した樹脂が漏れないよう凹部Ａ２との隙間を例えばパッキン等を使用して封止しておく必要があり、その際、パッキンは凹部Ａ２を前面Ａ１にのみ設けてあれば、平坦状のものを使用して挿着できるが、仮に凹部Ａ２を前面Ａ１及び上面の２面に直交するコーナー部に設けたようなときにはパッキンを２面に跨がるようＬ字状に折曲形成したものを使用して挿着しなければならず、組立作業が面倒になるからである。
【０００６】
このように、表示部Ｂ  はハウジングＡ  の前面Ａ１にのみ設けた凹部Ａ２に形成されているから、発光ダイオードＢ１の光は、図１２（ａ）  に示す前面Ａ１側に面した方向からは確認することができるが、同図（ｂ）  及び（ｃ）  に示す前面Ａ１側以外の２方向つまり上面Ａ３、側面Ａ４に面した方向からは確認することができない。
【０００７】
本発明は、上記事由に鑑みてなしたもので、その目的とするところは、ハウジングの互いに直交する３面側に面した各方向から表示素子を確認することができ、組立作業性に優れたリードライトヘッド及びその製造方法を提供することにある。
【０００８】
【課題を解決するための手段】
上記した課題を解決するために、請求項１記載のものは、移動体に取り付けたデータキャリアとの間で相互に書込及び読出のデータ通信を行い、その動作状態を表示する表示部をハウジングに設けたリードライトヘッドにおいて、前記表示部は、前記ハウジングの互いに直交する３面のコーナー部に露出して配設した透明な表示カバー内に表示素子を収納してなる構成にしてある。
【０００９】
請求項２記載のものは、請求項１記載のものにおいて、前記表示カバーを前記ハウジングに接合して配設した接合面が、直交する前記３面に対し傾斜してなる構成にしてある。
【００１０】
請求項３記載のものは、請求項１記載のものにおいて、前記表示素子の複数個が、直交する前記３面の１面側に面する方向から見て他の２面に対して傾斜して配列されてなる構成にしてある。
【００１１】
請求項４記載の方法は、移動体に取り付けたデータキャリアとの間で相互に書込及び読出のデータ通信を行うリードライトヘッドのハウジングに、その動作状態を表示する表示部を配設するリードライトヘッドの製造方法において、透明な表示カバーを前記ハウジングのコーナー部に互いに直交する３面に対し傾斜して接合し、コーナー部が下方になるよう前記ハウジングを斜めの姿勢に保持し、表示素子を収納した状態で表示カバー内に透明樹脂を流し込んで後硬化することによって前記表示部を配設するようになっている。
【００１２】
【作用】
請求項１記載のものによれば、表示部はハウジングの互いに直交する３面のコーナー部に露出して設けられているから、その３面側に面したどの方向においても、透明な表示カバー内の表示素子を確認することができる。
【００１３】
また、請求項２記載のものによれば、ハウジングは互いに直交する３面のコーナー部をその３面に対し傾斜する平坦状の切断面でもって３角錐状部分を切断され、その３角錐状部分と同形状に形成された透明な表示カバーがハウジングの前記コーナー部の切断面つまり接合面に接合されたものであって、表示部はハウジングの前記コーナー部から突出することなく、３面側に面したどの方向においても、透明な表示カバー内の表示素子を確認することができる。さらに、表示カバーはハウジングの互いに直交する３面に跨がるコーナー部に設けるものであるが、その接合面は平坦状であるため、ハウジング内部に充填する樹脂の漏れを防止のための封止作業は、接合面を超音波溶着等で接合することによって容易に行うことができる。
【００１４】
また、請求項３記載のものによれば、ハウジングの直交する３面の内の１面に配列された複数個の表示素子を、他の２面側に面する方向から見たとき、傾斜して配列されている分だけ重ならずに確認することができる。
【００１５】
また、請求項４記載の方法によれば、請求項２記載のものと同様にして、表示カバーはハウジングとの接合面が平坦状であるため、接合面を超音波溶着等で容易に接合できるとともに、コーナー部が下方になるようハウジングを斜めの姿勢に保持し、表示素子を収納した状態で表示カバー内に透明樹脂を流し込んで後硬化することによって、表示部を透明樹脂でもって充填することができる。
【００１６】
【実施例】
本発明の第１実施例を図１乃至図１０に基づいて以下に説明する。このものは、例えば、建物や施設の入退出管理に使用されるカード型のデータキャリア、いわゆるＩＤカードとの間で電磁誘導により、図２に示すように、相互に書込及び読出のデータ通信を行うリードライトヘッドである。
【００１７】
１  はハウジングで、不透明な成形材料により、略箱型に形成され、互いに直交する３面、つまり図３（ａ）  に示す状態において、開口側と反対の前面１ａ、上面１ｂ、右側面１ｃに直交するコーナー部１ｄが、その３面に対し傾斜する平坦状で略３角帯状の切断面（接合面）１ｅでもって３角錐状部分を切断した状態にして形成されている。この切断面１ｅには、図４（ａ）  に示すように、略３角帯状の全周に渡って中央に断面３角状の突起１ｆが設けられている。また、コーナー部１ｄと隣接する他の２箇所のコーナー部１ｇ，１ｈ  には、中央に取付穴を有して前面１ａから真っ直ぐ彫り込んだ取付部が形成されている。
【００１８】
２  は表示部で、表示カバー２１及び発光ダイオード（表示素子）２２からなり、表示カバー２１は、透明な成形材料により、ハウジング１  のコーナー部１ｄを切断した３角錐状部分と同形状の３角錐状に形成され、その一方面側は前記コーナー部１ｄの略３角帯状の切断面１ｅに重合し得る接合面２１ａ  を有して開口している。
【００１９】
そして、この表示カバー２１は、図３の矢示及び図４（ａ）  に示すように、接合面２１ａ  がハウジング１  のコーナー部１ｄの切断面１ｅに重合するよう突起１ｆに搭載され、加圧しながら超音波溶着されると、図４（ｂ）  に示すように、突起１ｆが溶融することによって表示カバー２１がハウジング１  のコーナー部１ｄに露出した状態で封止接合される。
【００２０】
次いで、ハウジング１  は、図５に示すように、コーナー部１ｄつまり表示カバー２１が下方になるよう二点鎖線で示す治具Ｊ  により斜めの姿勢に保持される。そして、図１（ａ）  に示すように、２個の発光ダイオード２２が前面１ａ側に面する方向から見て他の２面つまり上面１ｂ及び右側面１ｃに対して傾斜して配列されるよう、図６及び図７に示すように、表示カバー２１の内方において適当に支持治具により支持された状態で、図８及び図９に示すように、透明樹脂２３が表示カバー２１の内方に流し込まれて充填され、その後、透明樹脂２３は硬化される。
【００２１】
次いで、ハウジング１  は、ＩＤカードとの間で電磁誘導によりデータ通信を行うアンテナとしてのコイル及び内部回路基板等を内部に組み込まれるとともに、その回路基板に発光ダイオード２２が適宜接続され、図１０（ａ）  に示すように、開口方向を上方になるよう水平に置かれた状態で、黒色等の不透明樹脂２４が流し込まれて同図（ｂ）  に示すように開口部まで充填され、その後、不透明樹脂２４は硬化されて完成品となる。
【００２２】
上記のようにして製造されたリードライトヘッドは、例えば、建物や施設の入退出管理に使用される場合、図２に示すように、シーケンサやコンピュータ等の上位の制御ユニットに接続したコントローラに接続されており、ＩＤカードとの間で電磁誘導により相互にデータ通信を行うことによって、コントローラに書込及び読出されたデータを識別し上位の制御ユニットを介して建物の出入口や施設のゲート部分の開閉を行う。このとき、表示部２  により、通電やデータの送受信等の動作表示を行うことになる。
【００２３】
かかるリードライトヘッドにあっては、上述したように、ハウジング１  は互いに直交する３面１ａ，１ｂ，１ｃのコーナー部１ｄをその３面に対し傾斜する平坦状の切断面  （接合面）１ｅ  でもって３角錐状部分を切断され、その３角錐状部分と同形状に形成された透明な表示カバー２１がコーナー部１ｄの接合面１ｅに露出して接合されたものであるから、表示部２  はハウジング１  の外形を大きくしないよう、コーナー部１ｄから突出することなく、かつ３面１ａ，１ｂ，１ｃ側に面したどの方向においても、透明な表示カバー２１内の発光ダイオード２２を確認することができる。しかも、発光ダイオード２２は２個であるが、前面１ａ側に面する方向から見て他の２面つまり上面１ｂ及び右側面１ｃに対して傾斜して配列されていから、重ならずに２個共確認することができる。
【００２４】
また、表示カバー２１は、ハウジング１  の互いに直交する３面１ａ，１ｂ，１ｃに跨がるコーナー部１ｄに設けるものであるが、その両接合面１ｅ，２１ａは平坦状であるため、一方の接合面１ｅに設けた突起１ｆに他方の接合面２１ａ  を載せて加圧しながら超音波溶着することによって、容易で確実に接合されるとともに、その後、コーナー部１ｄが下方になるようハウジング１  を斜めの姿勢に保持し、発光ダイオード２２を収納した状態で表示カバー２１内に透明樹脂２３を流し込んだとき、接合面から漏れることなく表示部２  を透明樹脂２３でもって充填することができる。
【００２５】
なお、本実施例では、ハウジング１  及び表示カバー２１の両接合面１ｅ，２１ａを超音波溶着により接合するのに、一方の接合面１ｅにのみ突起１ｆを設けたが、他方の接合面２１ａ  に設けてもよく、また両接合面１ｅ，２１ａ共に設けてもよい。さらに、超音波溶着に代え、接着剤により接合してもよい。
【００２６】
また、本実施例では、発光ダイオード２２を表示カバー２１の内方において支持するのに、適当に支持治具を用いているが、表示カバー２１の内方に発光ダイオード２２を嵌挿支持する凹部を形成してあってもよい。
【００２７】
次に、第２実施例を図１１に基づいて以下に説明する。このものは、ハウジング１  は、箱型の前面１ａの中央に断面円状の突出部１ｉを有しており、互いに直交する３面１ａ，１ｂ，１ｃの前面１ａ上におけるコーナー部１ｄに表示部２  が配設されている。
【００２８】
詳しくは、表示カバー２１は、透明な成形材料により、有底略円筒状に形成され、その表示カバー２１の２個が、突出部１ｉよりも高くならない範囲で前面１ａ上に露出するよう、開口端部をハウジング１  の前面１ａ上のコーナー部１ｄに設けた丸穴の周縁部に超音波溶着等で接合され、前面１ａ側に面する方向から見て他の２面つまり上面１ｂ及び右側面１ｃに対して傾斜して配列されている。
【００２９】
次いで、ハウジング１  は、発光ダイオード２２が内方から挿入して表示カバー２１内に配設された状態で、表示カバー２１内に透明樹脂が流し込まれて充填され、さらに硬化される。その後は、第１実施例と同様にして組み立てられる。
【００３０】
かかるリードライトヘッドにあっては、上述したように、表示部２  は、透明な表示カバー２１が、ハウジング１  の突出部１ｉよりも高くならない範囲で前面１ａ上のコーナー部１ｄに露出して配設されているから、ハウジング１  の全体としての外形を大きくすることなく、かつ３面１ａ，１ｂ，１ｃ側に面したどの方向においても、透明な表示カバー２１内の発光ダイオード２２を確認することができる。しかも、発光ダイオード２２は２個であるが、前面１ａ側に面する方向から見て他の２面つまり上面１ｂ及び右側面１ｃに対して傾斜して配列されていから、重ならずに２個共確認することができる。
【００３１】
なお、第１及び第２実施例のいずれにあっても、リードライトヘッドは、ＩＤカードとの間で相互にデータ通信を行う通信媒体は、電磁誘導であるが、マイクロ波及び光により通信を行ってもよい。電磁誘導の場合は、ＩＤカードとの間に磁性体以外の介在物が存在しても影響を受けずに確実に通信できるが、コイルによるノイズの影響を考慮する必要があり、マイクロ波の場合は、１ターンの導体で形成されたループアンテナ等コイルよりも簡単なアンテナを使用でき、また比較的距離の長いときでも通信可能であるが、指向性を考慮する必要があり、光通信の場合は、電気的ノイズの影響を受けないが、ＩＤカードとの間に介在物が存在すると遮光されて通信不能になり、それぞれの場合で一長一短がある。
【００３２】
また、第１及び第２実施例のいずれにあっても、表示部２  は、２個の発光ダイオード２２を設けているが、表示対象が例えば通電表示等１つの場合は、１個の発光ダイオード２２を設けるだけでよく、逆に３つ以上の場合は、２個の場合と同様に前面１ａ側に面する方向から見て他の２面つまり上面１ｂ及び右側面１ｃに対して傾斜して配列しさえすれば、重ならずに全てを確認することができる。
【００３３】
【発明の効果】
請求項１記載のものは、表示部はハウジングの互いに直交する３面のコーナー部に露出して設けられているから、その３面側に面したどの方向においても、透明な表示カバー内の表示素子を確認することができる。
【００３４】
また、請求項２記載のものは、表示部はハウジングのコーナー部から突出することなく、３面側に面したどの方向においても、透明な表示カバー内の表示素子を確認することができ、さらに、表示カバーの接合面は平坦状であるから、接合面を超音波溶着等で容易に接合することができる。
【００３５】
また、請求項３記載のものは、ハウジングの直交する３面の内の１面に配列された複数個の表示素子を、他の２面側に面する方向から見たとき、傾斜して配列されている分だけ重ならないため、３面側に面したどの方向においても、透明な表示カバー内の表示素子を確認することができる。
【００３６】
また、請求項４記載の方法は、請求項２記載のものと同様にして、表示カバーの接合面が平坦状であるため、接合面を超音波溶着等で容易に接合できるとともに、コーナー部が下方になるようハウジングを斜めの姿勢に保持し、表示素子を収納した状態で表示カバー内に透明樹脂を流し込んで後硬化することによって、表示部を透明樹脂でもって充填することができる。
【図面の簡単な説明】
【図１】本発明の第１実施例を示し、（ａ）  は正面図、（ｂ）  は上平面図、（ｃ）  は右側面図である。
【図２】同上の実使用状態を示す説明図である。
【図３】同上のハウジング及び表示カバーの接合状態を示し、（ａ）  は正面図、（ｂ）  は上平面図、（ｃ）  は右側面図である。
【図４】同上のハウジング及び表示カバーの接合部分を示す部分断面図である。
【図５】同上の表示カバーが下方になるようハウジングを斜めの姿勢に保持した状態を示す斜視図である。
【図６】同上の表示カバー内に発光ダイオードを支持した状態を示す斜視図である。
【図７】図５の矢示方向から見た矢示図である。
【図８】同上の表示カバー内に透明樹脂を充填する状態を示す斜視図である。
【図９】図８の矢示方向から見た矢示図である。
【図１０】同上のハウジング内に不透明樹脂を充填する状態を示す断面図である。
【図１１】本発明の第２実施例を示し、（ａ）  は正面図、（ｂ）  は上平面図、（ｃ）  は右側面図である。
【図１２】従来例を示し、（ａ）  は正面図、（ｂ）  は上平面図、（ｃ）  は右側面図である。
【符号の説明】
１      ハウジング
１ａ    前面  （互いに直交する３面の内の１面）
１ｂ    上面  （互いに直交する３面の内の１面）
１ｃ    右側面  （互いに直交する３面の内の１面）
１ｄ    コーナー部
１ｅ    接合面
２      表示部
２１    表示カバー
２１ａ  接合面
２２    発光ダイオード  （表示素子）
２３    透明樹脂
【図１】
0003546496.tif 000002
【図２】
0003546496.tif 000003
【図３】
0003546496.tif 000004
【図４】
0003546496.tif 000005
【図５】
0003546496.tif 000006
【図６】
0003546496.tif 000007
【図７】
0003546496.tif 000008
【図８】
0003546496.tif 000009
【図９】
0003546496.tif 000010
【図１０】
0003546496.tif 000011
【図１１】
0003546496.tif 000012
【図１２】
0003546496.tif 000013